(57)【特許請求の範囲】
【請求項１】
投入料金に応じてロッカーの解錠制御を行うとともにロッカーの使用開始時から使用時間を計時して該計時した使用時間に基づいて貸し料金を更新するロッカー装置と、上記ロッカー装置に電源を供給する中央制御装置とからなる貸しロッカーシステムにおいて、
前記中央制御装置は、任意の時間帯を設定する時間帯設定手段と、現在時刻が上記時間帯設定手段で設定された時間帯内であるか否かを前記ロッカー装置に通報する通報手段とを備え、
前記ロッカー装置は、前記中央制御装置からの前記通報により前記時間帯内と判定されるとき前記使用時間の計時を中断する機能を備えたことを特徴とする貸しロッカーシステム。
【請求項２】
前記中央制御装置の通報手段が、前記時間帯の最初と最後に異なる信号を出力することにより、前記ロッカー装置に現在時刻が前記時間帯内であるか否かを通報するものであることを特徴とする請求項１記載の貸しロッカーシステム。
【発明の詳細な説明】
【０００１】
【発明の属する技術分野】
本発明は、ロッカーの使用時間に基づいて貸し料金を更新する貸しロッカーシステムに関する。
【０００２】
【従来の技術】
従来、この種の貸しロッカーシステムとして、例えば特開昭６２−１１９９０号、特開平２−１５０９９５号、特開平２−１５０９９８号に開示されたものがある。特開昭６２−１１９９０号のものはロッカーの使用開始時からタイマーで使用時間（保管時間）を計時し、物品を取り出すときこの使用時間に応じた料金を投入することにより解錠できるようにしたものである。また、特開平２−１５０９９５号ものは、使用時間に基づいて貸し料金を更新するとともに貸し料金を更新する単位時間や単位料金を設定できるものである。さらに、特開平２−１５０９９８号ものは、電源が遮断されたときでも使用時間や超過料金の情報を記憶しておき、通電された後に超過料金を加算するようにしたものである。
【０００３】
【発明が解決しようとする課題】
ところで、このような貸しロッカーシステムは駅構内や大型店舗などに設置されることが多いが、特に店舗などのように営業時間が決められた施設内に設置されている場合は、荷物を預けた後にそのまま閉館時間となったとき次の日の開館時間になるまで荷物を取り出せなくなることがある。しかし、従来の時間制の貸しロッカーシステムでは、上記のように利用者に不自由をかける場合があるにもかかわらず、単に使用時間に応じて超過料金を加算するだけになっているので、、サービス面で不十分であった。
本発明は、利用者に対してより一層のサービスを図れる貸しロッカーシステムを提供することを課題とする。
【０００４】
【課題を解決するための手段】
上記の課題を解決するためになした本発明の貸しロッカーシステムは、投入料金に応じてロッカーの解錠制御を行うとともにロッカーの使用開始時から使用時間を計時して該計時した使用時間に基づいて貸し料金を更新するロッカー装置と、上記ロッカー装置に電源を供給する中央制御装置とからなる貸しロッカーシステムにおいて、前記中央制御装置は、任意の時間帯を設定する時間帯設定手段と、現在時刻が上記時間帯設定手段で設定された時間帯内であるか否かを前記ロッカー装置に通報する通報手段とを備え、前記ロッカー装置は、前記中央制御装置からの前記通報により前記時間帯内と判定されるとき前記使用時間の計時を中断する機能を備えたことを特徴とする。
【０００５】
【作用】
本発明の貸しロッカーシステムにおいて、中央制御装置の時間帯設定手段で営業時間外の時間帯を設定すると、この中央制御装置からの通報により、ロッカー装置はこの営業時間外の時間帯については使用時間の計時を中断するので、その分は超過料金として貸し料金に加算されない。
【０００６】
【発明の実施の形態】
図２は実施例の貸しロッカーシステムにおける中央制御装置１（電源ユニット）の扉内部の操作パネルを示す図である。操作パネルには、時刻の設定操作等で数値入力等を行うためのテンキー１ａ、設定操作等のガイダンス用の表示器１ｂ、集計結果のプリントアウト等を行うプリンタ１ｃが配設されており、内部のマイクロコンピュータに接続されている。この中央制御装置１は表示器１ｂでのメニュー表示とテンキー１ａの操作によるメニューの選択により各種のモードで動作し、設定モードのときに営業時間外等の時間帯の始めと終わりの時刻を設定する。
【０００７】
図４は実施例におけるロッカー装置を示す図であり、図において、１０は内部を複数（図の例では４個）の収納ボックスに仕切られたロッカー本体、２０は各収納ボックスの扉、３０はロッカー番号等が付されて扉２０に取り付けられた把手である。２はロッカー本体１０の各扉２０の横に取り付けられた解錠制御装置であり、この解錠制御装置２により扉２０の開閉操作が規制される。この実施例では、各解錠制御装置２、扉２０および扉２０に対応する収納ボックスによりそれぞれロッカー装置が構成されており、この図示のものは４組のロッカー装置を一体にしたものである。なお、実際に貸しロッカーシステムを構成するときはロッカー本体１０を多数配列し、各解錠装置２を前記中央制御装置１に接続して貸しロッカーシステムが構成される。
【０００８】
図３は解錠制御装置２を示す図であり、図３(A) は正面図、図３(B) は内部の主な要素の配置を示す側面図でありである。図において、２ａは基本料金や超過料金等を表示する液晶表示器、２ｂは硬貨投入口、２ｃは使用者に貸し渡すカスタムキー４０によって施錠および解錠操作が行われる客錠、２ｄはマスターキーによって解錠制御装置２のリセット等を行うためのマスターロック、２ｅは客錠２ｃの回転によって扉２０の開閉を規制する施錠板である。
【０００９】
また、２１は硬貨を選別する検銭器、２２はマイクロコンピュータ等を搭載した制御基板、２３は施錠板２ｅを検出する施錠板センサ、２４は客錠２ｃの回動を規制するソレノイド、２５はソレノイドの状態を検出するソレノイドセンサ、２６は客錠２ｃ内のカスタムキー４０の有無を検出するキーセンサである。
【００１０】
次に、実施例のロッカーの使用手順を説明する。先ず、使用者はカスタムキー４０が客錠２ｃに挿入されている空きロッカーの扉２０を空けてロッカー内に荷物等を収納して扉２０を完全に閉める。そして、表示器２ａに表示されている基本料金だけのコインを硬貨投入口から投入し、表示料金が「０円」となったらカスタムキー４０を回してロッカーを施錠し、カスタムキー４０を客錠２ｃから抜き取る。
【００１１】
図１は実施例の貸しロッカーシステムのブロック図である。中央制御装置１には複数のロッカー装置に対応する複数の解錠制御装置２が接続されており、この中央制御装置１の各部に電源を供給する電源回路１１からは、各解錠制御装置２に対して、この解錠制御装置２側でソレノイド２４と回路を動作させるための電源が供給される。また、中央制御装置１は、ＣＰＵ１２ａ、後述の制御プログラムが格納されたＲＯＭ１２ｂ、ＲＡＭ１２ｃ、Ｉ／Ｏポート１２ｄ、バス１２ｅ等を含むマイクロコンピュータ１２によって動作する。
【００１２】
Ｉ／Ｏポート１２ｄにはカレンダー付き時計１３が接続されており、ＣＰＵ１２ａはこの時計１３により現在時刻と使用時間を検知することができる。さらに、Ｉ／Ｏポート１２ｄからは各解錠制御装置２に対して使用時間の計時の禁止と許可を通報する計時停止信号と計時開始信号が出力され、この計時停止信号および計時開始信号は解錠制御装置２で受信される。また、テンキー１ａ、表示器１ｂおよびプリンタ１ｃは図示しないインタフェースを介してバス１２ｅにそれぞれ接続されている。
【００１３】
解錠制御装置２は、ＣＰＵ２７ａ、後述の制御プログラムが格納されたＲＯＭ２７ｂ、ＲＡＭ２７ｃ、Ｉ／Ｏポート２７ｄ、バス２７ｅ、時計２７ｆ等を含むマイクロコンピュータ２７によって動作する。なお、このマイクロコンピュータ２７は前記制御基板２２に搭載されている。施錠板センサ２３、ソレノイド２４、ソレノイドセンサ２５、キーセンサ２６はそれぞれＩ／Ｏポート２７ｄを介してバス２６ｃに接続されている。また、Ｉ／Ｏポート２７ｄには中央制御装置１からの計時停止信号と計時開始信号が入力される。
【００１４】
そして、ＣＰＵ２７ａはＲＯＭ２７ｂに格納された制御プログラムに基づいてＲＡＭ２７ｃのワーキングエリアおよび時計２７ｆを使用して解錠制御装置２全体の制御を行う。なお、ＣＰＵ２７ａは施錠板センサ２３により解錠されたか否かを検出し、キーセンサ２６によりカスタムキー４０の有無を検出する。また、時計２７ｆは所定のクロックをカウントして所定のレジスタの値を更新することにより時間を計時するものであり、ＣＰＵ２７ａはこのレジスタをクリアすることにより時計２７ｆをリセットし、レジスタの更新を停止することにより計時を停止するとともに、レジスタの更新を続行することにより計時を続行する。
【００１５】
図５は中央制御装置１側のＲＯＭ１２ｂに格納された制御プログラムのフローチャート、図６および図７および図８は解錠制御装置２側のＲＯＭ２７ｂに格納された制御プログラムのフローチャートであり、同図に基づいて中央制御装置１側と解錠制御装置２側の動作を説明する。
【００１６】
（中央制御装置１の動作）
電源の投入等によって処理を開始すると、ステップＳ１で設定モードが選択されているか否かを判定し、設定モードでなければステップＳ５に進み、設定モードであればステップＳ２で設定時間帯の設定処理であるか否かを判定する。設定時間帯の設定処理でなければ、ステップＳ３でその他の入力処理を行ってステップＳ１に戻り、設定時間帯の設定処理であれば、ステップＳ４で設定時間帯の開始時刻と終了時刻の入力処理を行って設定された両時刻を記憶し、ステップＳ１に戻る。なお、このステップＳ４の入力処理では、テンキー１ａから入力される数字を表示器１ｂに表示するとともに、テンキー１ａの特定のキー（例えば「♯キー」）の操作により入力データを確定し、設定時間帯の開始時刻と終了時刻を記憶する。そして、設定モードから抜け出す。
【００１７】
一方、設定モードが選択されていなければ、ステップＳ５で、時計１３が示す現在時刻が使用時間を計時する時間帯の開始時刻（設定時間帯の終了時刻）になったか否かを判定し、開始時刻になっていなければステップＳ７に進み、開始時刻になればステップＳ６で計時開始信号を解錠制御装置２に送信してステップＳ７に進む。ステップＳ７では、時計１３が示す現在時刻が使用時間を計時する時間帯の終了時刻（設定時間帯の開始時刻）になったか否かを判定し、終了時刻になっていなければステップＳ９に進み、終了時刻になればステップＳ８で計時停止信号を解錠制御装置２に送信してステップＳ９に進む。ステップＳ９では、モードの選択入力処理等のその他の処理を行い、ステップＳ１に戻る。
【００１８】
以上の処理により、ロッカー管理者は営業時間外などの時間帯の開示時刻と終了時刻を任意に設定することができ、中央制御装置１は各解錠制御装置２に対して、設定時間帯の開始時刻になると計時停止信号を送信し、設定時間帯の終了時刻になると計時開始信号を出力する。そして、次に説明するように、各解錠制御装置２はこの計時停止信号と計時開始信号に応じてロッカーの使用時間の計時の中断と続行を制御する。
【００１９】
（解錠制御装置２の動作）
図６のフローチャートはＣＰＵ２７ａの内部クロックに基づくタイマー割込みにより起動される割込み処理ルーチンを示すものであり、図７および図８のフローチャートの処理を行っている間にも優先的に実行される。なお、この割込み処理は中央制御装置１が計時停止信号または計時開始信号を出力している時間より短い周期で起動されるように設定されている。
【００２０】
先ず、ステップＳ２１で制御装置からコマンド信号を受信しているか否かを判定し、受信していなければそのまま元のルーチンに復帰し、受信してれば、ステップＳ２２でコマンド信号が計時開始信号であるか否かを判定する。計時開始信号でなければステップＳ２４に進み、計時開始信号であればステップＳ２３で所定のフラグをセットして「計時の許可」として記憶してステップＳ２４に進む。ステップＳ２４では、コマンド信号が計時停止信号であるか否かを判定し、計時停止信号でなければ元のルーチンに復帰し、計時停止信号であればステップＳ２５で所定のフラグをリセットして「計時の禁止」として記憶して元のルーチンに復帰する。
【００２１】
以上の割込み処理により、中央制御装置１から計時停止信号が出力されてから計時開始信号が出力されるまでは「計時の禁止」として所定のフラグに記憶され、計時開始信号が出力されてから計時停止信号が出力されるまでは「計時の許可」として所定のフラグに記憶される。
【００２２】
図７の処理では、ステップＳ３２で表示器２ａに基本料金を表示し、ステップＳ３２でコインが投入されるのを監視する。コインが投入されるとステップＳ３３で料金を減算して表示し、ステップＳ３４でその減算の結果が「０円」になったか否かを判定する。そして、「０円」にならなければステップＳ３２に進み、「０円」になったら、ステップＳ３５でソレノイド２４を駆動して客錠２ｃの回転を許可してステップＳ３６に進む。
【００２３】
次に、ステップＳ３６で、施錠板センサ２３により、客錠２ｃが回転されて施錠されるのを監視し、施錠されるとステップＳ３７で時計２７ｆをリセットすることにより計時を開始し、ステップＳ３８に進む。ステップＳ３８では、施錠板センサ２３により、客錠２ｃが回転されて解錠されたか判定し、解錠されればステップＳ３６に進み、解錠されなければステップＳ３９で前記フラグを参照して「計時の許可」となっているか否かを判定する。
【００２４】
「計時の許可」となっていなければステップＳ４０で時計２７ｆの計時を停止してステップＳ４２に進み、「計時の許可」となっていれば、ステップＳ４１で計時処理をし、その使用時間を表示器２ａに表示してステップＳ４２に進む。なお、この計時処理は、時計２７ｆの計時を続行させる処理である。ステップＳ４２では使用時間が所定の基本時間より超過しているか否かを判定し、超過していなければステップＳ４４に進み、超過していればステップＳ４３で超過料金を現在の料金に加算して表示器２ａに表示し、ステップＳ４４に進む。
【００２５】
ステップＳ４４では、キーセンサ２６によりカスタムキー４０が客錠２ｃに差されたか否かを判定し、カスタムキー４０が差されなければステップＳ３９に戻り、差されていれば図８のステップＳ４５に進む。すなわち、使用者が荷物を預けている間は、ステップＳ３９〜ステップＳ４４の処理を繰り返しており、この間に「計時の許可」となっているときは使用時間の計時を続行し、「計時の許可」となっていないときは、使用時間の計時を中断することになる。
【００２６】
図８のステップＳ４５以降はカスタムキー４０が客錠２ｃに差された場合の処理であり、超過料金が発生しているか否かを判定する。超過料金が発生していなければステップＳ４６に進み、超過料金が発生していればステップＳ４９に進む。ステップＳ４６では、カスタムキー４０が客錠２ｃから抜かれたか否かを判定し、抜かれなければステップＳ４７に進み、抜かれれば図７のステップＳ４４に戻る。ステップＳ４７では、施錠板センサ２３により、客錠２ｃが回転されて解錠されたか判定し、解錠されなければステップＳ４６に進み、解錠されたらステップＳ４８でソレノイド２４を駆動して客錠２ｃの回転を禁止して図７のステップＳ３１に戻る。
【００２７】
一方、ステップＳ４５で超過料金が発生している場合は、ステップＳ４９でソレノイド２４を駆動して客錠２ｃの回転を禁止してステップＳ５０に進み、ステップＳ５０では、カスタムキー４０が客錠２ｃから抜かれたか否かを判定し、抜かれなければステップＳ５２に進み、抜かれればステップＳ５１でソレノイド２４を駆動して客錠２ｃの回転を許可して図７のステップＳ４４に戻る。ステップＳ５２ではコインが投入されたか否か判定し、投入されなければステップＳ５０に戻り、コインが投入されればステップＳ５３で料金を減算して表示し、ステップＳ５４でその減算の結果が「０円」になったか否かを判定する。
【００２８】
そして、「０円」にならなければステップＳ５０に進み、「０円」になったら、ステップＳ５５でソレノイド２４を駆動して客錠２ｃの回転を許可し、ステップＳ５６に進む。ステップＳ５６では、施錠板センサ２３により、客錠２ｃが回転されて解錠されるか監視し、解錠されたらステップＳ５７でソレノイド２４を駆動して客錠２ｃの回転を禁止して図７のステップＳ３１に戻る。
【００２９】
以上の処理により、解錠制御装置２は、中央制御装置１に設定された時間帯内においては使用時間の計時を中断し、その時間帯以外では使用時間の計時を続行し、それぞれ超過料金が発生した場合はその超過料金を投入することにより解錠できるように制御される。したがって、営業時間外で使用者が荷物を取り出すことができない時間帯については超過料金の対象とならないので、使用者に対するサービスを向上させることができる。
【００３０】
なお、本発明のように、中央制御装置で任意の時間帯を設定してこの時間帯のときはロッカー装置での使用時間の計時を中断させるような構成にすると、例えば、貸しロッカーのブロックを複数ブロック管理する場合に、ブロック毎に時間帯を変えて設定したり、設置エリアの異なる一方のブロックと他方のブロックとで時間帯を逆にするなどして、各ブロックを利用時間や利用場所に見合ったサービスのしかたで機能させることができる。
【００３１】
【発明の効果】
以上説明したように本発明の貸しロッカーシステムによれば、中央制御装置で任意の時間帯を設定してこの時間帯のときはロッカー装置での使用時間の計時を中断させるようにしたので、営業時間外で使用者が荷物を取り出すことができないような時間帯については超過料金の対象とすることがないので、利用者に対してより一層のサービスを図ることができる。
【図面の簡単な説明】
【図１】本発明実施例の貸しロッカーシステムのブロック図である。
【図２】本発明実施例における中央制御装置の扉内部の操作パネルを示す図である。
【図３】本発明実施例における解錠制御装置を示す図である。
【図４】本発明実施例におけるロッカー装置を示す図である。
【図５】本発明実施例における中央制御装置側の制御プログラムのフローチャートである。
【図６】本発明実施例における解錠制御装置側の割込み処理ルーチンのフローチャートである。
【図７】本発明実施例における解錠制御装置側の制御プログラムのフローチャートの一部である。
【図８】同制御プログラムのフローチャートの他の一部である。
【符号の説明】
１…中央制御装置、１ａ…テンキー、２…解錠制御装置、１０…ロッカー本体、１３…カレンダー付き時計、２７ｆ…タイマー。
【図１】
0003717568.tif 000002
【図２】
0003717568.tif 000003
【図３】
0003717568.tif 000004
【図４】
0003717568.tif 000005
【図５】
0003717568.tif 000006
【図６】
0003717568.tif 000007
【図７】
0003717568.tif 000008
【図８】
0003717568.tif 000009